(57)【特許請求の範囲】
【請求項１】
暗渠型や門型ブロック、蓋類等にあって、その下位に設けられる水路（４）に臨む横架部材（６）の上面（６ａ）と水路（４）を連通すべく横架部材（６）に設けられる水抜孔（５）であって、上面（６ａ）に該上面（６ａ）から凹陥する凹陥部（５ａ）が所定幅で適宜長さに設けられ、凹陥部（５ａ）の長さ方向に沿う縁部底面が段部（５ｂ）をなして内側底面が更に凹陥して形成された集水部（５ｃ）の底面（５ｄ）に水路（４）に連通する孔部（５ｅ）が開口され、上記凹陥部（５ａ）にその幅方向で上方に凸湾曲又は屈曲する板状の透水蓋（５ｆ）の長さ方向に沿う両縁部が上記段部（５ｂ）又は段部（５ｂ）上側に続く内壁面（５ｊ）で支持されて嵌め込まれた排水用構造物の水抜孔。
【請求項２】
暗渠型や門型ブロック、蓋類等にあって、その下位に設けられる水路（４）に臨む横架部材（６）又はこれに連続する縦部材（６’）の側面（６ｂ）と水路（４）を連通すべく横架部材（６）又は縦部材（６’）に設けられる水抜孔（５）であって、側面（６ｂ）に該側面（６ｂ）から凹陥する凹陥部（５ａ）が所定幅で適宜長さに設けられ、凹陥部（５ａ）の長さ方向に沿う縁部凹陥面が段部（５ｂ）をなして内側凹陥面が更に凹陥して形成された集水部（５ｃ）の凹陥面（５ｄ’）に水路（４）に連通する孔部（５ｅ）が開口され、上記凹陥部（５ａ）にその幅方向で外方に凸湾曲又は屈曲する板状の透水蓋（５ｆ）の長さ方向に沿う両縁部が上記段部（５ｂ）又は段部（５ｂ）外側に続く内壁面（５ｊ）に当接されて嵌め込まれた排水用構造物の水抜孔。
【請求項３】
凹陥部（５ａ）が水路（４）の縦断又は横断方向に略沿って適宜長さに設けられ、多数の透孔（５ｇ）を有する透水蓋（５ｆ）の長さ方向に沿う両縁部の透孔（５ｇ）が切欠状となされ、該切欠状の透孔（５ｇ）により透水蓋（５ｆ）の上記両縁部と凹陥部（５ａ）の内壁面（５ｊ）との間際が閉塞されずに開口された請求項１記載の排水用構造物の水抜孔。
【請求項４】
水路（４）に連通する孔部（５ｅ）が集水部（５ｃ）の底面（５ｄ）にその長さ方向に適宜間隔で複数設けられた請求項１又は３記載の排水用構造物の水抜孔。
【請求項５】
凹陥部（５ａ）の長さ方向両端部でその幅方向に沿う内壁面に、少なくとも段部（５ｂ）又は段部（５ｂ）に続く内壁面（５ｊ）を除く上記幅方向で内側に突出する凸部（５ｈ）が設けられ、該凸部（５ｈ）の外面が透水蓋（５ｆ）の長さ方向両端部内面と相対する請求項１〜４のいずれかに記載の排水用構造物の水抜孔。
【発明の詳細な説明】
【技術分野】
【０００１】  本発明は排水用構造物の水抜孔に関し、詳しくはその上面や側面に排水性舗装道路の排水機能層が舗装されて該層に浸透した雨水等の浸透水を排水したり、或いはその上面が路面に露出されて雨水等の表面水を排水するための暗渠型や門型ブロック、蓋類等の排水用構造物の水抜孔に関するものである。
【背景技術】
【０００２】  従来、その上面に排水性舗装道路の排水機能層が舗装されて該層に浸透した雨水等の浸透水を排水する機能を有する暗渠型ブロックとして、例えば特許文献１に開示される如く、道路の路肩に埋設される暗渠型ブロックの排水性舗装道路に面する一側に、排水性舗装道路の排水機能層を積層可能な受容段部がブロックの長さ方向にわたって凹設され、受容段部の上面にブロック内部の水路に連通する複数の集水孔が長さ方向に適宜間隔で設けられ、その上面に防塵用のメッシュが被せられた排水溝が知られている。
【先行技術文献】
【特許文献】
【０００３】
【特許文献１】  特許第２８４９３４７号公報
【発明の概要】
【発明が解決しようとする課題】
【０００４】  しかしながら、かかる従来の暗渠型ブロックは、排水機能層が積層される受容段部の上面に単にブロック内部の水路に連通する複数の集水孔が長さ方向に適宜間隔で設けられ、その上面に防塵用のメッシュが被せられているだけであるために、排水機能層が上面に受ける輪荷重等によりメッシュを介して集水孔周縁の受容段部上面を直接押圧する如く接し、又、メッシュの下方への変形も伴って集水孔の開口部を閉塞する形となり、排水機能層に浸透した浸透水が受容段部上面で何ら集水されることなく単に各集水孔のある箇所でのみ集水孔から直接排水されることとなって、その集排水効果が低く、効率的な排水が期待できないという問題点がある。
本発明はかかる従来の問題点に鑑みてなされたものであって、その上面や側面に排水性舗装道路の排水機能層が舗装される場合に上面や側面における排水機能層に浸透する雨水等の浸透水の排水効率に優れ、且つ、その上面が路面に露出される場合にも上面における雨水等の表面水の排水性のよい排水用構造物の水抜孔を提供することを課題としている。
【課題を解決するための手段】
【０００５】  上記課題を解決するために、本発明の排水用構造物の水抜孔は、暗渠型や門型ブロック、蓋類等にあって、その下位に設けられる水路４に臨む横架部材６の上面６ａと水路４を連通すべく横架部材６に設けられる水抜孔５であって、上面６ａに該上面６ａから凹陥する凹陥部５ａが所定幅で適宜長さに設けられ、凹陥部５ａの長さ方向に沿う縁部底面が段部５ｂをなして内側底面が更に凹陥して形成された集水部５ｃの底面５ｄに水路４に連通する孔部５ｅが開口され、上記凹陥部５ａにその幅方向で上方に凸湾曲又は屈曲する板状の透水蓋５ｆの長さ方向に沿う両縁部が上記段部５ｂ又は段部５ｂ上側に続く内壁面５ｊで支持されて嵌め込まれたものである。【０００６】  又、本発明の排水用構造物の水抜孔は、暗渠型や門型ブロック、蓋類等にあって、その下位に設けられる水路４に臨む横架部材６又はこれに連続する縦部材６′の側面６ｂと水路４を連通すべく横架部材６又は縦部材６′に設けられる水抜孔５であって、側面６ｂに該側面６ｂから凹陥する凹陥部５ａが所定幅で適宜長さに設けられ、凹陥部５ａの長さ方向に沿う縁部凹陥面が段部５ｂをなして内側凹陥面が更に凹陥して形成された集水部５ｃの凹陥面５ｄ′に水路４に連通する孔部５ｅが開口され、上記凹陥部５ａにその幅方向で外方に凸湾曲又は屈曲する板状の透水蓋５ｆの長さ方向に沿う両縁部が上記段部５ｂ又は段部５ｂ外側に続く内壁面５ｊに当接されて嵌め込まれたものである。【０００７】  又、本発明の排水用構造物の水抜孔は、上記横架部材６の上面６ａと水路４を連通すべく横架部材６に設けられる水抜孔において、凹陥部５ａが水路４の縦断又は横断方向に略沿って適宜長さに設けられ、多数の透孔５ｇを有する透水蓋５ｆの長さ方向に沿う両縁部の透孔５ｇが切欠状となされ、該切欠状の透孔５ｇにより透水蓋５ｆの上記両縁部と凹陥部５ａの内壁面５ｊとの間際が閉塞されずに開口された構成を採用することができる。【０００８】  又、本発明の排水用構造物の水抜孔は、上記横架部材６の上面６ａと水路４を連通すべく横架部材６に設けられる水抜孔において、水路４に連通する孔部５ｅが集水部５ｃの底面５ｄにその長さ方向に適宜間隔で複数設けられた構成を採用することができる。【０００９】  又、本発明の排水用構造物の水抜孔は、上記各水抜孔において、凹陥部５ａの長さ方向両端部でその幅方向に沿う内壁面に、少なくとも段部５ｂ又は段部５ｂに続く内壁面５ｊを除く上記幅方向で内側に突出する凸部５ｈが設けられ、該凸部５ｈの外面が透水蓋５ｆの長さ方向両端部内面と相対する構成を採用することができる。
【発明の効果】
【００１０】  本発明の排水用構造物の水抜孔は、横架部材の上面に該上面から凹陥する凹陥部が所定幅で適宜長さに設けられ、凹陥部の内側底面が更に凹陥して形成された集水部の底面に水路に連通する孔部が開口され、上記凹陥部にその幅方向で上方に凸湾曲又は屈曲する板状の透水蓋が嵌め込まれているために、例えば横架部材の上面が排水性舗装道路の排水機能層に臨む場合には排水機能層に浸透した雨水等の浸透水が、又、横架部材の上面が路面に露出される場合には雨水等の表面水が、夫々横架部材の上面に沿って凹陥部に流入する際、透水蓋を透過して凹陥部内側の集水部に流下、集水されて集水部底面の孔部から下位の水路に順次排水され、その際、凹陥部に嵌め込まれた透水蓋により、浸透水や表面水に含まれるごみ、土砂等が集水部内に侵入するのを防止するとともに、その上方に凸湾曲又は屈曲する形状から上位の排水機能層と凹陥部、並びに集水部との間に流水用の空間部が確保されて上記浸透水をスムーズ且つ効率よく集排水でき、排水効率を向上させることができる。
又、凹陥部の長さ方向に沿う縁部底面が段部をなして内側底面が更に凹陥して集水部が形成されるとともに、凹陥部の幅方向で上方に凸湾曲又は屈曲する板状の透水蓋の長さ方向に沿う両端部が上記段部又は段部上側に続く内壁面で支持されて凹陥部に嵌め込まれているために、透水蓋が不用意に前後左右へ移動せず安定した状態で凹陥部に装着でき、且つ上面に受ける輪荷重等による外力に抗して下方等へ変形することなく、該透水蓋によって上記流水用の空間部を確実且つ容易に確保でき、排水効率の向上を図ることができる。【００１１】  又、本発明の排水用構造物の水抜孔は、横架部材又はこれに続く縦部材の側面に凹陥部が所定幅で適宜長さに設けられ、凹陥部の内側凹陥面が更に凹陥して形成された集水部の凹陥面に水路に連通する孔部が開口され、凹陥部にその幅方向で外方に凸湾曲又は屈曲する板状の透水蓋が嵌め込まれているので、例えば上記側面が排水性舗装道路の排水機能層に臨む場合には排水機能層に浸透した雨水等の浸透水が、又、上記側面（透水蓋）が路面に露出される場合には雨水等の表面水が、夫々透水蓋を透過して凹陥部内側の集水部に流入、集水されて集水部の孔部から水路に順次排水され、その際、上記と同様に、透水蓋により浸透水中のごみ、土砂等の侵入が阻止され、透水蓋の形状から排水機能層と凹陥部及び集水部との間に流水用の空間部が確保されて上記浸透水をスムーズ且つ効率よく集排水でき、排水効率を向上させることができる。
又、凹陥部の長さ方向に沿う縁部凹陥面が段部をなして内側凹陥面が更に凹陥して集水部が形成され、凹陥部の幅方向で外方に凸湾曲又は屈曲する板状の透水蓋の長さ方向に沿う両端部が上記段部又は段部外側に続く内壁面に当接されて凹陥部に嵌め込まれているので、上記と同様に、透水蓋が上記排水機能層に臨む場合に該層により押圧されて安定した状態で凹陥部に装着でき、上記押圧力に抗して内方等へ変形せず、透水蓋により上記流水用の空間部を確実且つ容易に確保でき、排水効率の向上が図れる。【００１２】  又、本発明の排水用構造物の水抜孔は、横架部材の上面と水路を連通すべく横架部材に設けられる水抜孔において、上面の凹陥部が水路の縦断又は横断方向に略沿って適宜長さに設けられているために、横架部材の上面が水路の横断又は縦断方向等に傾斜面をなしていると、その傾斜方向に沿って流下する上記浸透水や表面水が上面の凹陥部内に流入しやすい。又、多数の透孔を有する透水蓋の長さ方向に沿う両縁部の透孔が切欠状となされ、該切欠状の透孔により透水蓋の上記両縁部と凹陥部の内壁面との間際が閉塞されずに開口されているために、浸透水や表面水が凹陥部内に流入する際、透水蓋の上記両縁部と凹陥部の内壁面との間際で滞留することなく切欠状の透孔を介して速やか且つスムーズに流入しやすく、上記集排水効果をより一層向上させることができる。【００１３】  又、本発明の排水用構造物の水抜孔は、横架部材の上面と水路を連通すべく横架部材に設けられる水抜孔において、水路に連通する孔部が集水部の底面にその長さ方向に適宜間隔で複数設けられているために、上記の如く集水部内に集水した浸透水を複数の孔部から効率よく水路へ排水でき、その排水機能を更に向上させることができる。【００１４】  又、本発明の排水用構造物の水抜孔は、凹陥部の長さ方向両端部でその幅方向に沿う内壁面に、少なくとも段部又は段部に続く内壁面を除く上記幅方向で内側に突出する凸部が設けられ、該凸部の外面が透水蓋の長さ方向両端部内面と相対するために、透水蓋の長さ方向両端部にあって透水蓋内面と凹陥部との間に生じる空間部を凸部の存在により極力小さく抑え、透水蓋の長さ方向両端部の上記空間部から凹陥部内に流入する上記浸透水や表面水に含まれるごみ、土砂等が凹陥部、集水部内に侵入するのを阻止でき、水抜孔の詰まりによる排水性の低下を防止して上記排水効果の向上に寄与できる。
【図面の簡単な説明】
【００１５】
【図１】  （イ）〜（ト）は夫々本発明の水抜孔を有する排水用構造物の例を示す斜視図。
【図２】  （イ）及び（ロ）は夫々図１（イ）の排水用構造物の施工例を示す断面図。
【図３】  本発明の水抜孔の一実施の形態を示し、（イ）は平面図、（ロ）は透水蓋を外した状態の平面図。
【図４】  （イ）は図３（イ）のＡ−Ａ断面図、（ロ）は図３（イ）のＢ−Ｂ断面図、（ハ）は図３の透水蓋の装着状態を示す一部拡大断面図、（ニ）は図３（イ）のＣ−Ｃ断面図、（ホ）は他実施の水抜孔の一部断面図。
【図５】  本発明の水抜孔を有する排水用構造物の段積み状態の例を示す一部断面図。
【図６】  本発明の水抜孔の他実施の形態を示し、（イ）は一部切欠平面図、（ロ）は（イ）のＤ−Ｄ断面図、（ハ）は（イ）のＥ−Ｅ断面図、（ニ）は（イ）のＦ−Ｆ断面図。
【図７】  本発明の水抜孔の更に他実施の形態を示し、（イ）は透水蓋を外した状態の平面図、（ロ）は（イ）のＫ−Ｋ断面図、（ハ）は（イ）のＬ−Ｌ断面図、（ニ）は（イ）のＭ−Ｍ断面図、（ホ）は（イ）のＮ−Ｎ断面図。
【図８】  本発明の水抜孔の更に他実施の形態を示し、（イ）は透水蓋を外した状態の平面図、（ロ）は（イ）のＧ−Ｇ断面図。
【図９】  本発明の水抜孔の更に他実施の形態を示し、（イ）は一部切欠平面図、（ロ）は（イ）のＨ−Ｈ断面図、（ハ）は（イ）のＩ−Ｉ断面図。
【図１０】  本発明の水抜孔の更に他実施の形態を示し、（イ）は透水蓋を外した状態の平面図、（ロ）は（イ）のＪ−Ｊ断面図。
【図１１】  （イ）〜（ニ）は夫々本発明の水抜孔の透水蓋の例を示す断面図。
【図１２】  本発明の水抜孔の更に他実施の形態を示し、（イ）は正面図、（ロ）は透水蓋を外した状態の正面図、（ハ）は（イ）のＯ−Ｏ断面図、（ニ）は（イ）のＰ−Ｐ断面図。
【図１３】  （イ）及び（ロ）は夫々本発明の水抜孔の更に他実施の形態を示す要部断面図。
【発明を実施するための形態】
【００１６】  以下、図面を参照しながら本発明の実施の形態について説明する。
まず、本発明の水抜孔の詳細な説明に先立ち、排水用構造物を含めその概要について説明する。
図１（イ）〜（ト）は夫々本発明の水抜孔を有する排水用構造物の例を示し、図１（イ）、（ホ）は暗渠型ブロック１の内部の断面扁平異形状の水路４に臨む上部の横架部材６に、図１（ロ）、（ヘ）は暗渠型ブロック１の内部の断面円形の水路４（断面方形の場合を破線で示す）に臨む上部の横架部材６に、図１（ハ）は門型ブロック２の内部の水路４に臨む上部の横架部材６（下面が湾曲する場合を破線で示す）に夫々水抜孔５が設けられ、又、図１（ニ）は溝形状の水路４の上部を閉塞する蓋３（下面が凹状の場合を蓋３の右半部に破線で示す）を横架部材６となして該横架部材６に水抜孔５が設けられ、夫々横架部材６の上面６ａと水路４とが水抜孔５（後述の透水蓋５ｆを有する）によって連通されている。
又、図１（イ）、（ハ）及び（ニ）では、横架部材６の上面６ａが水路４の横断方向に位置する両端から夫々略中央部に向け斜降状をなす傾斜面で、その略中央の最低部に水抜孔５が設けられた例、図１（ロ）、（ヘ）では、横架部材６の上面６ａが水路４の横断方向に位置する一端から他端手前の中途部に至るまで斜降状をなす傾斜面、他端から上記中途部に至るまで斜降状をなす傾斜面で、その端部側に片寄った最低部を含む箇所に水抜孔５が設けられた例、図１（ホ）では、横架部材６の上面６ａが略水平な平坦面で、その略中央部に水抜孔５が設けられた例を示すが、これに限らず、横架部材６の上面６ａが水路４の横断方向又は縦断方向に種々の形態の傾斜面となされてその最低部等の適宜箇所に水抜孔５が穿設されたり、或いは上面６ａが平坦面となされてその必要箇所に水抜孔５が設けられる。
更に、図１（ト）は暗渠型ブロック１の内部の断面円形の水路４（断面方形の場合を破線で示す）に臨む上部の横架部材６の側面６ｂに水抜孔５が設けられ、側面６ｂと水路４とが水抜孔５（後述の透水蓋５ｆを有する）によって連通された例を示すが、水抜孔５はこれに限らず、図示しないが上記門型ブロック２の横架部材６や蓋３をなす横架部材６の側面、或いは横架部材６に連続する縦部材６′の側面６ｂに設けられてもよい。
【００１７】  要は、種々の排水用構造物にあって、その下位に設けられる水路４に臨む横架部材６の上面６ａと水路４を連通すべく、傾斜面又は略水平面をなす上面６ａに水抜孔５が設けられ、好ましくは水路４の横断又は縦断方向に傾斜面となされた横架部材６の上面６ａの最低部等の適宜箇所に位置して水抜孔５が設けられるか、或いは、横架部材６又はこれに連続する縦部材６′の側面６ｂに該側面６ｂと水路４を連通すべく水抜孔５が設けられる。
又、上記排水用構造物は排水性舗装道路に好適に埋設施工されるもので、例えば図２（イ）は図１（イ）に示す特に強度の優れた暗渠型ブロック１の施工例を示し、不透水層７ｂの上に排水機能層７ａを有する排水性舗装道路７の交差部や側縁等にその全体が浅く埋設されて上記横架部材６の上面６ａがその上位の排水機能層７ａに臨むようになされ、又、図１（ロ）〜（ニ）に示すものや他の排水用構造物にあってもその全体や一部が排水性舗装道路７に浅く埋設されてその横架部材６の上面６ａが排水機能層７ａに臨むようになされる。更に、図１（ト）に示すものは排水性舗装道路７に浅く埋設されて水抜孔５を有する横架部材６又は縦部材６′の側面６ｂが排水機能層７ａに臨むようになされる。
又、上記排水用構造物は排水性舗装道路に埋設施工される他、例えば図２（ロ）に示す如く、種々の道路や場所等の路面ｒに上記横架部材６の上面６ａが露出されて埋設施工される場合もある。
尚、上記図１（イ）〜（ト）における暗渠型ブロック１、門型ブロック２、蓋３や水路４の形状、水抜孔５の形状、数や大きさ、位置、方向や配列等は一例であって、これに限定されるものではない。
【００１８】  次に本発明の水抜孔について具体的に説明する。
図３及び図４は本発明の水抜孔の一実施の形態を示し、本実施形態の水抜孔５は、上記横架部材６の上面６ａの最低部、例えば上面６ａが水路４の横断方向に位置する両端から夫々略中央部に向けた斜降状で略Ｖ字形をなす傾斜面となされてその略中央部の最低部に設けられ、図３（ロ）及び図４（イ）〜（ニ）に示す如く、上面６ａから凹陥する凹陥部５ａが所定幅で水路４の縦断方向に略沿って適宜長さを有する平面視略長方形状に設けられ、凹陥部５ａの内側底面が更に凹陥されて平面視略長方形状の集水部５ｃが形成されるとともに、該集水部５ｃは、凹陥部５ａの相対する長さ方向に沿う縁部底面に段部５ｂを介して凹陥形成され、更に集水部５ｃの底面５ｄには水路４に連通する孔部５ｅが開口されている。
又、図３（ロ）及び図４（イ）〜（ニ）に示す如く、上記孔部５ｅは上端部が漏斗状をなす断面円形（水路４側に向け漸次縮径状をなす）で集水部５ｃの長さ方向（水路４の縦断方向）の略中央部に設けられ、集水部５ｃの底面５ｄが上記長さ方向でその両端部から夫々孔部５ｅに向けた斜降状で、図４（ニ）に示す如く略Ｖ形をなす傾斜面となされている。
【００１９】  更に、図３（イ）及び図４（イ）〜（ニ）に示す如く、上記凹陥部５ａの幅方向（水路４の横断方向）で上方に凸湾曲して断面略円弧状をなす板状の透水蓋５ｆが凹陥部５ａにその長さ方向（水路４の縦断方向）に沿って嵌め込まれ、透水蓋５ｆの凸湾曲した上部が横架部材６の上面６ａの最低部から上方に突出して、上記凹陥部５ａの上面が透水蓋５ｆにより覆われている。上記透水蓋５ｆの凸湾曲した上部は、例えば図５に示す如く、横架部材６の上面６ａ両端部の最高部より低く位置されると、排水用構造物（暗渠型ブロック１）の段積み時に上側の排水用構造物（暗渠型ブロック１）が透水蓋５ｆと接触せずにその自重が加わらず、透水蓋５ｆの変形や破損防止が図れ好ましい。
上記透水蓋５ｆは金属、合成樹脂等の剛性材料から作製され、小径の透孔５ｇが多数穿設された所定厚みと強度を有する有孔板となされて上記の如く幅方向に凸湾曲することでその強度が保持され、たとえ上方から外力が加わってもその長さ方向に沿う両縁部が凹陥部５ａの段部５ｂ又は段部５ｂ上側に続く内壁面５ｊ（上向きの傾斜面）で支持され、所謂アーチ構造となされて凹陥部５ａ内で外力に対して不用意に変形や移動せず安定した状態に保持される。
又、透水蓋５ｆは、例えば上記図２（イ）の如き使用状態にあっては図４（イ）〜（ニ）に示す如く、その上位の排水性舗装道路７の排水機能層７ａに接し、上記アーチ構造をもって排水機能層７ａの自重やその上面に受ける輪荷重等に抗して排水機能層７ａと凹陥部５ａ、集水部５ｃとの間に流水用の空間部（上面６ａから凹陥することで凹陥部５ａと集水部５ｃにより形成された空間部分）を確保するようになされている。
更に、図３（イ）に示す如く透水蓋５ｆの長さ方向に沿う両縁部に多数の透孔５ｇが切欠状に設けられ、透水蓋５ｆが凹陥部５ａに嵌め込まれた際に図４（ハ）に示す如く切欠状の透孔５ｇにより凹陥部５ａの内壁面５ｊ（段部５ｂ上側に連続する上向き傾斜面）との間際が閉塞されずに開口され、透水蓋５ｆの開口率を増大させて後述の浸透水の集水効果を促進するようになされているが、必ずしもこれに拘束されない。
【００２０】  次に、上記水抜孔５の作用について説明すると、図４（イ）〜（ニ）に示す如く、横架部材６の上面６ａにおける排水機能層７ａに浸透した雨水等の浸透水Ｗの排水に際し、浸透水Ｗが直接或いは横架部材６の傾斜面をなす上面６ａを流下してその最低部に集水され、透水蓋５ｆの透孔５ｇを透過して凹陥部５ａから集水部５ｃに流入して集水されるとともに、集水部５ｃの傾斜面をなす底面５ｄに沿って孔部５ｅに速やかに導かれて水路４に排水される。
その際、浸透水Ｗに含まれるごみ、土砂等が透水蓋５ｆにより集水部５ｃ内に侵入するのを阻止され、水抜孔５の詰まりによる排水性の低下が生じないようになされ、又、上述の如く凹陥部５ａに嵌め込まれた上方に凸湾曲する透水蓋５ｆによって排水機能層７ａと凹陥部５ａ、集水部５ｃとの間に流水用の空間部が確保されるので、上記流入せる浸透水Ｗがかかる空間部を満たすことで得る水圧を利してスムーズ且つ効率よく凹陥部５ａ、集水部５ｃを流下して排水される。
【００２１】  更に、上記水抜孔５、詳しくは凹陥部５ａ、集水部５ｃ、透水蓋５ｆが水路４の縦断方向に略沿って設けられることから、水路４の横断方向に傾斜面をなす横架部材６の上面６ａをその傾斜方向に沿って流下する浸透水Ｗがその流下方向と略直交せる透水蓋５ｆを介して凹陥部５ａ、集水部５ｃに流入しやすい。
加えて、透水蓋５ｆの両縁部の切欠状の透孔５ｇにより、透水蓋５ｆと凹陥部５ａの内壁面５ｊ（上向き傾斜面）との間際が閉塞されずにその長さ方向で断続的に開口されていることと相俟って、上記浸透水Ｗが凹陥部５ａ内に流入する際、透水蓋５ｆの上記両縁部と凹陥部５ａの内壁面５ｊとの間際、即ち、浸透水Ｗが排水されるべき上面６ａの流末で略Ｖ字形の段状空所を形成して該所へ落下せる浸透水Ｗの流速を増し、滞留させることなく切欠状の透孔５ｇを介して速やか且つスムーズに流入させるので集排水効率がよく好ましい。更に、上記透水蓋５ｆの両縁部と凹陥部５ａの内壁面５ｊとの間際に土砂等が溜まらず排水性の向上が図れる。
又、上記図２（ロ）の如き使用状態（横架部材６の上面６ａが路面ｒに露出する）にあっても、路面ｒ上の雨水等の表面水が上面６ａ上に流入して上記と同様にして水抜孔５により排水され、その説明は上記のものを援用する。
尚、上記使用状態において透水蓋５ｆの凸湾曲した上部は、例えば図４（ホ）に示す如く、高くとも傾斜状又は水平状の上面６ａに連設せる凹陥部５ａの上端以下に位置されると、透水蓋５ｆが上面６ａ上での通行（排水機能層７ａの施工含む）に支障を来たさず、更に、前記と同様に暗渠型ブロック１の段積み時に好適である（尚又、以下の実施形態についても特に説明しないが、これと同様である）。
又、図６に示す水抜孔５は上記図３、図４に示すものの変形例であって、図６（イ）〜（ニ）に示す如く、集水部５ｃの傾斜状の底面５ｄがその幅方向で凹陥せる弧状面に形成され、又、これと水路４に連通する孔部５ｅが断面長円形（水路４側に向け漸次縮径状をなす）をなして集水部５ｃの長さ方向に広く開口する点で上記のものと異なる他は上記と略同様となされている。
【００２２】  図７は本発明の水抜孔の更に他実施の形態を示し、本実施形態の水抜孔５も上記と同様に横架部材６の上面６ａの最低部（上面６ａが水路４の横断方向に略Ｖ字形の傾斜面をなしその略中央部）に設けられるとともに、図７（イ）〜（ホ）に示す如く、凹陥部５ａ及び集水部５ｃが夫々平面視略長方形状で、凹陥部５ａの相対する長さ方向に沿う縁部底面に段部５ｂを有し、集水部５ｃの底面５ｄに水路４に連通する孔部５ｅが開口されている。
上記孔部５ｅは上記と略同様な断面円形（水路４側に向け漸次縮径状をなす）で集水部５ｃの長さ方向（水路４の縦断方向）に適宜間隔で２個対称状に設けられ、集水部５ｃの底面５ｄが上記長さ方向でその端部から孔部５ｅに、又、孔部５ｅ間の中間部から各孔部５ｅに夫々向けた斜降状で図７（ホ）に示す如く略Ｗ形をなす傾斜面となされている。
又、図７（イ）〜（ホ）に示す如く、上記凹陥部５ａの長さ方向両端部でその幅方向に沿う内壁面に、段部５ｂの上側に続く内壁面５ｊを除く幅方向に広がるとともに凹陥部５ａの上縁から底面（詳しくは集水部５ｃ両端部の深さの浅い底面５ｄ）にわたって内側に凸状に突出する凸部５ｈが設けられ、該凸部５ｈの上面が横架部材６の上面６ａに略沿い、凸部５ｈの複数の周側面が夫々上縁から下端に向け斜降状をなす上向きの斜面５ｉに形成されている。又、該斜面５ｉのうち凹陥部５ａの幅方向に斜降する２つの斜面５ｉが、図７（ニ）に示す如く透水蓋５ｆの下面に相対しこれに略沿うようになされている。
即ち、図７（イ）に示す如く凹陥部５ａの上記内壁面の幅方向両端部を除く大部分が内側に若干突出した凸壁面（凸部５ｈ）となされている。
【００２３】  更に、図７（ロ）〜（ホ）に示す如く、上記と同様に上方に凸湾曲した断面略円弧状の透水蓋５ｆが凹陥部５ａに嵌め込まれて上記凸部５ｈを含む凹陥部５ａの上面が透水蓋５ｆにより覆われるが、その際、凹陥部５ａの長さ方向両端部の凸部５ｈの上面（外面）が透水蓋５ｆの長さ方向両端部下面（内面）と相対し、更に凸部５ｈの周側面が斜面５ｉとなされその一部が透水蓋５ｆ下面に略沿うことから、透水蓋５ｆの長さ方向両端部で透水蓋５ｆ下面と凹陥部５ａとの間に生じる空間部が凸部５ｈの存在により極力小さく抑えられる。
即ち、上記と同様に透水蓋５ｆがその上位の排水性舗装道路７の排水機能層７ａに接する使用状態で、透水蓋５ｆの長さ方向両端部の上記空間部から凹陥部５ａ内に流入する浸透水Ｗに含まれるごみ、土砂等が凹陥部５ａ、集水部５ｃ内に侵入するのを阻止され、水抜孔５の詰まりによる排水性の低下防止が図られるとともに、透水蓋５ｆにより排水性舗装道路７の排水機能層７ａと凹陥部５ａ、集水部５ｃとの間に流水用の空間部が確保される。
上記透水蓋５ｆの長さ方向両端部は内方に向け若干曲折されてもよく、その場合には上記空間部の入口がより狭くなり上記効果を高め好都合である。
又、本実施形態の水抜孔５の作用は、透水蓋５ｆの透孔５ｇを透過して凹陥部５ａから集水部５ｃに流入して集水された上記浸透水Ｗが、図７（ホ）に示す如く集水部５ｃの略Ｗ形の傾斜面をなす底面５ｄに沿って各孔部５ｅに夫々速やかに導かれて水路４に排水される他は上記と同様であり、その説明は上記のものを援用する。
【００２４】  又、図８は本発明の水抜孔の更に他実施の形態を示し、本実施形態の水抜孔５は上記図７に示すものの変形例であって、図８（イ）、（ロ）に示す如く、水路４に連通する上記と略同様の断面円形の孔部５ｅ（漏斗状上端部がない）が集水部５ｃの長さ方向（水路４の縦断方向）に略等間隔で３個設けられ、集水部５ｃの底面５ｄが上記長さ方向でその端部から孔部５ｅに、又、孔部５ｅ間の中間部から各孔部５ｅに夫々向けた斜降状で図８（ロ）に示す如く略Ｖ形が３つ連なった傾斜面となされている点、及び凹陥部５ａの長さ方向両端部に凸部５ｈが設けられていない点で上記のものと異なる他は上記と略同様となされている。
本実施形態の水抜孔５でも上記と同様に、凹陥部５ａの幅方向で上方に凸湾曲する板状の透水蓋５ｆが凹陥部５ａの長さ方向に沿って嵌め込まれ、透水蓋５ｆにより排水性舗装道路７の排水機能層７ａと凹陥部５ａ、集水部５ｃとの間に流水用の空間部が確保される（図４（イ）〜（ニ）、図７（ロ）〜（ニ）参照）。この場合の水抜孔５の作用も凸部５ｈによる作用を除き上記と同様である。
【００２５】  図９は本発明の水抜孔の更に他実施の形態を示し、本実施形態の水抜孔５は図３、図４に示すものの変形例であり、図９（イ）〜（ハ）に示す如く、水路４に連通する孔部５ｅが集水部５ｃの長さ方向の大半にわたる平面視長円形状（水路４側に向け漸次縮径状をなす）をなして底面５ｄに開口され、底面５ｄにおける孔部５ｅの開口面積を上記に比し大きくするとともに、底面５ｄが略水平状となされている点で上記のものと異なる他は上記と略同様となされている。
尚、上記図８、図９の水抜孔５において、上記図７と同様にして凹陥部５ａの長さ方向両端部の内壁面に凸部５ｈが設けられてその上面が透水蓋５ｆの長さ方向両端部下面と相対してもよく、その場合には上記と同様の効果を奏す。
又、図１０は本発明の水抜孔の更に他実施の形態を示し、本実施形態の水抜孔５は図９に示すものと略同様（但し、凹陥部５ａの長さ方向両端部の内壁面に凸部５ｈを有する）であって、図１０（イ）、（ロ）に示す如く、図９の孔部５ｅに比しやや短い平面視長円形状（水路４側に向け漸次縮径状をなす）をなす孔部５ｅが２個集水部５ｃの長さ方向に適宜間隔で底面５ｄに開口され、底面５ｄにおける孔部５ｅの開口面積を大きくするとともに、底面５ｄが略水平状となされている点で上記図３、図４に示すものと異なる他は上記と略同様となされている。
尚、図１０における凹陥部５ａの長さ方向両端部の凸部５ｈは、段部５ｂ及びその上側に続く内壁面５ｊを除く幅方向に広がるとともに凹陥部５ａの上縁から集水部５ｃ両端部の略水平状底面５ｄにわたって内側に突出し、その突端面が平面視略凸屈曲状で上縁から下端に向け急傾斜面となされ、上記と同様に横架部材６の上面６ａに略沿う凸部５ｈの上面が透水蓋５ｆの長さ方向両端部下面と相対するようになされる。
図９、図１０の水抜孔５でも図３、図４に示すものと同様に、凹陥部５ａの幅方向で上方に凸湾曲する板状の透水蓋５ｆが凹陥部５ａに嵌め込まれ、透水蓋５ｆにより排水性舗装道路７の排水機能層７ａと凹陥部５ａ、集水部５ｃとの間に流水用の空間部が確保される（図４（イ）〜（ニ）、図９（ロ）、（ハ）参照）。この場合の水抜孔５の作用も上記と同様である。
【００２６】  尚、本発明の水抜孔は必ずしも上記実施形態のものに限定されることなく、本発明の意図する範囲内で種々の設計変更がなされてもよい。
本発明の水抜孔５は水路４の横断方向に傾斜面をなす上面６ａの最低部に、上記の如く水路４の縦断方向に略沿って設けられると集排水が効果的に行えて好ましいが、水路４の横断方向や上記と交差方向に略沿って設けられてもよい。又、上面６ａが水路４の縦断方向に傾斜面をなし、その最低部等適宜位置に水抜孔５が水路４の横断又は縦断方向、或いはこれらと交差方向に略沿って設けられたり、或いは又、上面６ａが略水平な平坦面となされ、その適宜箇所に水抜孔５が水路４の横断又は縦断方向、或いはこれらと交差方向に略沿って設けられてもよい。
又、水抜孔５は、横架部材６の長さや幅より短い適宜長さに設けられる他、横架部材６の長さや幅方向全長に設けられたり、或いは例えば水路４の縦断又は横断方向と交差方向、詳しくは凹陥部５ａ、集水部５ｃ及び透水蓋５ｆが水路４の縦断又は横断方向と適宜角度で交差する方向に適宜長さに設けられてもよい。
又、凹陥部５ａ、集水部５ｃの形状も上記上面６ａ上の浸透水や表面水を集水しうる適宜幅と長さを有する適宜の平面視形状であればよいし、集水部５ｃの底面５ｄに開口する孔部５ｅも断面方形、だ円形、多角形等適宜形状となされ、必ずしも上端部が漏斗状になされたり、水路４側に縮径状でなくともよいし、適宜湾曲や屈曲して水路４に連通されてもよいし、その数も上記底面５ｄに適宜数開口されればよい。
集水部５ｃの底面５ｄも孔部５ｅに向け斜降状をなすべく一様な傾斜面或いは適宜湾曲や屈曲状の傾斜面となされるのが排水面で好ましいが、底面５ｄに対して孔部５ｅの開口割合が大きい場合等では略平面状であってもよい。
【００２７】  又、上記凹陥部５ａの長さ方向両端部の凸部５ｈは、例えば図４に示す如く透水蓋５ｆの長さ方向両端部で透水蓋５ｆ下面と凹陥部５ａとの間に生じる空間部が狭い場合等には設ける必要はないが、設ける場合には、少なくとも段部５ｂ又はその上側に続く内壁面５ｊを除く凹陥部５ａの幅方向に広がって内側に突出してその上面が透水蓋５ｆの長さ方向両端部下面と相対することで、上記の如く透水蓋５ｆと凹陥部５ａとの間の空間部を狭め、該空間部から凹陥部５ａ内に流入する浸透水に含まれるごみ、土砂等の侵入防止効果を奏する。
即ち、凸部５ｈは透水蓋５ｆの装着や浸透水、表面水の流入に支障を来さないとともに、それ自体の外力等による欠損防止を図ってその突出度合や突出形状等が適宜に設定され、その周側面が上記の如く斜面５ｉに形成されたり、その上面が上記の如く横架部材６の上面６ａに略沿うか、或いは該上面６ａから上方に適宜突出して例えば図１０（イ）に示す如く透水蓋５ｆの下面に略沿う凸湾曲状等に形成される等、適宜に形成されればよい。
又、透水蓋５ｆに関しても、上記実施形態及び図１１（イ）に示す如き断面略円弧状の他、図１１（ロ）に示す如く断面横く字状の凸湾曲状、図１１（ハ）に示す如く長さ方向に沿う両側縁部が下方に曲折された凸屈曲状、図１１（ニ）に示す如く上記（ロ）のものに比しその屈曲度合を大きくした断面横く字状の凸湾曲状等、凹陥部５ａの幅方向で適宜凸湾曲や屈曲状となされることで、上記の如く流水用の空間部を確保可能となされればよい。
又、透水蓋５ｆが凹陥部５ａに嵌め込まれ、その最上部が横架部材６の上面６ａから上方に突出する際、その突出度合は特に限定されず、上位での通行や排水機能層７ａの施工等の支障にならない程度に突出されてもよいし、図１１（ニ）に示す如く凹陥部５ａの凹陥度合を大きくして透水蓋５ｆの上方への突出を抑制してもよい。
尚又、透水蓋５ｆの小径の透孔５ｇも適宜形状や大きさで多数設けられることで、透水蓋５ｆの透水性の確保及びごみや土砂等の通過阻止ができればよいとともに、透水蓋５ｆの長さ方向に沿う両縁部にあって上記の如く切欠状に設けられるのが好ましいが、必ずしも切欠状となされずともよい。
【００２８】  又、上記各実施形態は水抜孔５が横架部材６の上面６ａに設けられた例であるが、既に図１（ト）で述べた如く水抜孔５は横架部材６又はこれに連続する縦部材６′の側面６ｂに設けられてもよく、以下これについて説明する。
例えば図１２は水抜孔５が暗渠型ブロック１の横架部材６の側面６ｂに設けられた場合であり、図１２（イ）〜（ニ）に示す如く、側面６ｂから凹陥する凹陥部５ａが所定幅で水路４の縦断方向に適宜長さを有する正面視略長方形状に設けられ、凹陥部５ａの内側凹陥面が更に凹陥されて集水部５ｃが形成され、該集水部５ｃは凹陥部５ａの相対する長さ方向に沿う上下縁部凹陥面に段部５ｂを介して凹陥形成され、更に集水部５ｃの凹陥面５ｄ′に水路４に連通する孔部５ｅ（水路４側に斜降状をなす）が開口されている。
又、図１２（ロ）に示す如く、上記孔部５ｅは断面円形（水路４側に向け漸次縮径状をなす）で集水部５ｃの長さ方向の略中央部に設けられ、集水部５ｃの下縁段部５ｂの内縁が上記長さ方向の両端部から夫々孔部５ｅに向けた斜降状で、略Ｖ形をなす傾斜面となされている。
更に、図１２（イ）、（ハ）及び（ニ）に示す如く、上記凹陥部５ａの上下幅方向で外方に凸湾曲して断面略円弧状をなす上記と同様の板状の透水蓋５ｆが、その長さ方向に沿う両縁部を上記段部５ｂ又は段部５ｂ外側に続く内壁面５ｊに当接して凹陥部５ａに嵌め込まれ、上記凹陥部５ａが透水蓋５ｆにより覆われている。尚、透水蓋５ｆは接着材等で固定されてもよいし、例えば図１３（イ）に示す如くボルト８が透水蓋５ｆを介して横架部材６内に埋設したナット９に螺合されることで固定されてもよい。
又、上記水抜孔５は、図１２（ハ）に示す如く、上記側面６ｂが排水性舗装道路７の排水機能層７ａに臨んで（詳しくは水抜孔５が排水機能層７ａと不透水層７ｂとの境界付近に位置して）施工されると、排水機能層７ａに浸透した雨水等の浸透水が透水蓋５ｆを透過して凹陥部５ａ内側の集水部５ｃに流入、集水されて集水部５ｃの孔部５ｅから水路４に順次排水され、その際、上記と同様に、透水蓋５ｆで浸透水中のごみ、土砂等の侵入が阻止されるとともに、排水機能層７ａと凹陥部５ａ及び集水部５ｃとの間に流水用の空間部が確保されて上記浸透水をスムーズ且つ効率よく集排水できる利点を有する。又、上記と同様に透水蓋５ｆが排水機能層７ａにより押圧されて安定状態で装着され、上記押圧力に抗して内方等へ変形せず、上記流水用の空間部を確実且つ容易に確保できる。
【００２９】  尚、上記の如く側面６ｂに水抜孔５が設けられる場合についても、上記図１２のものに限らず、上記横架部材６の上面６ａに設けられる水抜孔５と略同構造を有するべく種々の設計変更が施されてもよい。
例えば凹陥部５ａ、集水部５ｃの形状は上記側面６ｂで浸透水を集水しうる適宜幅と長さを有する適宜の正面視形状であればよいし、又、孔部５ｅの形状を図６や図９、図１０の如き長円形状としたり、多角形等その他種々の断面形状としたり、その径を水路４側に漸縮状とせずに略均一状にしたり、その数を図７や図１０の如く２個、或いは図８の如く３個、その他適宜数としてもよい。
又、孔部５ｅが複数の場合には、排水効率を向上すべく集水部５ｃの下縁段部５ｂの内縁がその長さ方向で夫々孔部５ｅに向け斜降状となされたり、或いは孔部５ｅが図９の如き横長で大きい場合には上記下縁段部５ｂの内縁が略水平状となされてもよい。
又、図７や図１０の如く凹陥部５ａ内に凸部５ｈを付加したり、或いは図１１の如く透水蓋５ｆを種々の形状とする他、透水蓋５ｆの上縁での集排水効果を向上させるべく、透水蓋５ｆの上縁部の透孔５ｇが切欠状となされ、該切欠状の透孔５ｇにより透水蓋５ｆの上縁部と凹陥部５ａの内壁面５ｊとの間際が閉塞されずに開口されてもよい。
又、図１３（ロ）に示す如く、横架部材６の傾斜状をなす側面６ｂ（横架部材６と縦部材６′の連設部）に、上記図３及び図４に示す横架部材６の上面６ａに設けられる水抜孔５と略同構造のものが上記側面６ｂに適合するようにその軸線を傾斜させて設けられてもよい。
尚又、側面６ｂに水抜孔５が設けられる場合、上記の如く側面６ｂが排水性舗装道路７に臨んで施工されてもよいし、或いは側面６ｂの一部又は全部、詳しくは側面６ｂに設けた透水蓋５ｆの一部又は全体が路面上に露出して施工され、路面上の雨水等の表面水が、上記と同様に透水蓋５ｆを透過して凹陥部５ａ内側の集水部５ｃに流入、集水されて集水部５ｃの孔部５ｅから水路４に順次排水されるようになされてもよい。
【符号の説明】
【００３０】１  暗渠型ブロック
４  水路
５  水抜孔
５ａ  凹陥部
５ｂ  段部
５ｃ  集水部
５ｄ  底面
５ｄ′  凹陥面
５ｅ  孔部
５ｆ  透水蓋
５ｇ  透孔
５ｈ  凸部
５ｊ  内壁面
６  横架部材
６′  縦部材
６ａ  上面
６ｂ  側面
７  排水性舗装道路
７ａ  排水機能層
ｒ  路面
【図１】
0005401665.tif 000002
【図２】
0005401665.tif 000003
【図３】
0005401665.tif 000004
【図４】
0005401665.tif 000005
【図５】
0005401665.tif 000006
【図６】
0005401665.tif 000007
【図７】
0005401665.tif 000008
【図８】
0005401665.tif 000009
【図９】
0005401665.tif 000010
【図１０】
0005401665.tif 000011
【図１１】
0005401665.tif 000012
【図１２】
0005401665.tif 000013
【図１３】
0005401665.tif 000014